(57)【要約】【課題】渇水時の水質向上に対応でき、さらに同一放流先河川で異種運転の下水処理場にも対応して、放流先河川の水質全体を良好に維持できる下水処理場の制御装置を提供する。【解決手段】対象となる河川の流域における降雨情報に基づいて当該河川が渇水状態にあるか否かを判定する渇水判定手段（モード選定部２００）と、渇水状態にあるときには渇水モードによる渇水運転制御６００を実行し、非渇水状態にあるときには非渇水モードによる非渇水運転制御６００を実行する制御手段とを備える。【選択図】図１
2006136866.tif 000002
【特許請求の範囲】
【請求項１】
対象となる河川の流域における降雨情報に基づいて当該河川が渇水状態にあるか否かを判定する渇水判定手段と、
渇水状態にあるときには渇水モードによる渇水運転制御を実行し、非渇水状態にあるときには非渇水モードによる非渇水運転制御を実行する制御手段と、
を備えたことを特徴とする下水処理場の制御装置。
【請求項２】
同一の河川流域に存在する複数の下水処理場を統括制御する制御装置であって、
対象となる河川の流域における降雨情報に基づいて当該河川が渇水状態にあるか否かを判定する渇水判定手段と、
前記各下水処理場に対して、渇水状態にあるときには渇水モードによる渇水運転制御を実行し、非渇水状態にあるときには非渇水モードによる非渇水運転制御を実行する制御手段と、
を備えたことを特徴とする下水処理場の制御装置。
【請求項３】
請求項１または２に記載の下水処理場の制御装置において、
前記制御手段は、渇水運転制御として、処理槽の前段を擬似的に嫌気状態で運転するとともに処理槽の後段を好気状態で運転する擬似嫌気好気運転制御を、非渇水運転制御として、処理槽全体を好気状態で運転する通常好気運転制御を実行することを特徴とする下水処理場の制御装置。
【請求項４】
請求項１または２に記載の下水処理場の制御装置において、
前記制御手段は、渇水運転制御として高ＨＲＴ運転制御を、非渇水運転制御として低ＨＲＴ運転制御を実行することを特徴とする下水処理場の制御装置。
【請求項５】
請求項１または２に記載の下水処理場の制御装置において、
前記制御手段は、渇水運転制御として高ＳＲＴ運転制御を、非渇水運転制御として低ＳＲＴ運転制御を実行することを特徴とする下水処理場の制御装置。
【請求項６】
請求項１または２に記載の下水処理場の制御装置において、
前記制御手段は、渇水運転制御として、処理水若しくは流入下水に対して供給する凝集剤、オゾン、塩素若しくは紫外線照射のいずれか又はその組合せにおける供給量を増加させる運転制御を実行することを特徴とする下水処理場の制御装置。
【請求項７】
請求項２に記載の下水処理場の制御装置において、
前記制御手段は、処理槽の前段を擬似的に嫌気状態で運転するとともに処理槽の後段を好気状態で運転する擬似嫌気好気運転制御、高ＨＲＴ運転制御、高ＳＲＴ運転制御、処理水若しくは流入下水に対して供給する凝集剤、オゾン、塩素若しくは紫外線照射のいずれか又はその組合せにおける供給量を増加させる運転制御の何れかの内、各下水処理場でそれぞれ異なる渇水運転制御を実行することを特徴とする下水処理場の制御装置。
【請求項８】
請求項１乃至７の何れか１項に記載の下水処理場の制御装置において、
前記渇水判定手段は、降雨情報の他に、水位、水量若しくは水質の河川情報を入力として渇水状態を判定することを特徴とする下水処理場の制御装置。
【請求項９】
請求項１乃至８の何れか１項に記載の下水処理場の制御装置において、
前記制御手段は、河川水質計測値に基づいて、渇水運転制御及び非渇水運転制御とを補正演算することを特徴とする下水処理場の制御装置。
【請求項１０】
請求項１乃至９の何れか１項に記載の下水処理場の制御装置において、
河川水質計測値に基づいて前記渇水判定手段を補正することを特徴とする下水処理場の制御装置。
【請求項１１】
請求項１乃至１０の何れか１項に記載の下水処理場の制御装置において、
前記制御手段は、非渇水モード時の制御として、晴天時と雨天時に対応する制御、または晴天時と小雨時と大雨時とに対応する制御を実行することを特徴とする下水処理場の制御装置。
【発明の詳細な説明】
【技術分野】
【０００１】
本発明は、渇水時における河川の水質工場を図った下水処理場の制御装置に関する。
【背景技術】
【０００２】
従来の下水処理場の制御装置として、特許文献１（特公平７−１１７０４６号公報）に記載のものがある。この従来装置では、図２２に示すように、レーダ雨量計や地上雨量計等による降雨情報予測値１００を入力値として、モード選定部２００で晴天モード４１０と雨天モード４２０を出力し、各々の出力値を入力として晴天運転制御６８０と雨天運転制御６９０に指令を出力する。例えば、晴天運転制御６８０は下水処理場の雨水ポンプの揚水量を小さくする運転であり、また雨天運転制御６９０は当該雨水ポンプの揚水量を大きくして浸水防除する運転である。これにより、晴天時と雨天時の天候状態による下水処理場の最適運転が達成できる。
【特許文献１】特公平７−１１７０４６号公報
【発明の開示】
【発明が解決しようとする課題】
【０００３】
しかしながら、上記、従来の下水処理場の制御装置においては、晴天時と雨天時の対応、または大雨時や小雨時等の雨天強弱の対応はできるものの、それ以外の天候状況には対応することができず、天候候状況によっては、次のような問題が発生していた。
【０００４】
第１に、渇水時の水質向上の要求に寄与できないという問題がある。すなわち、渇水時には、下水処理場放流先の河川や水源等の水量が減少して、河川を流れる水のほとんど（７割以上）が下水処理場の放流水となってしまう。このため、下水処理場の放流水質としては通常の晴天時等と同様に良好であっても、放流先の水量減少のため放流先全体の水質が悪化するという問題が発生した。すなわち、放流先の流域全体の水質管理という視点からは、従来の下水処理場の制御装置では機能しないという問題が生じた。
【０００５】
第２に、同一放流先河川で、異種運転の下水処理場に対応できない、という問題がある。すなわち、同一放流先の河川、例えばＡ河川の上流からＢ処理場、Ｃ処理場、Ｄ処理場と３つの下水処理場が存在し、各々の下水処理場の運転制御方法が異なる場合、各々の下水処理場個別には放流水質は規制値以内を満たしていても、放流先河川全体として水質が良好にならないという問題が生じた。
【０００６】
本発明は上述した課題を解決するためになされたものであり、渇水時の水質向上に対応でき、さらに同一放流先河川における渇水時の処理方法が異なる、すなわち異種運転の下水処理場にも対応して、放流先河川の水質全体を良好に維持できる下水処理場の制御装置を提供することを目的とする。
【課題を解決するための手段】
【０００７】
上記の目的を達成するために、本発明は、対象となる河川の流域における降雨情報に基づいて当該河川が渇水状態にあるか否かを判定する渇水判定手段と、渇水状態にあるときには渇水モードによって渇水運転制御を実行し、非渇水状態にあるときには非渇水モードによって非渇水運転制御を実行する制御手段とを備えたことを特徴としている。
【０００８】
ここで、渇水モードによる渇水運転制御には、処理槽（曝気槽）の前段を擬似的に嫌気状態で運転するとともに処理槽（曝気槽）の後段を好気状態で運転する擬似嫌気好気運転制御、高ＨＲＴ運転制御、高ＳＲＴ運転制御などである。また、処理水若しくは流入下水に対して供給する凝集剤、オゾン、塩素若しくは紫外線照射のいずれか又はその組合せにおける供給量を増加させる運転制御方法の何れかなどである。
【０００９】
また、下水処理場の制御装置としては、各浄水場に設けられた制御装置の他に、請求項２に記載のように、同一の河川流域に存在する複数の下水処理場を統括制御する制御装置（実施の形態では、流域管理装置と称する）もある。この統括制御する制御装置に渇水判定手段と、制御手段とを設けるようにしても良い。この場合、各下水処理場の設備が異なること、あるいは下水処理場の設置場所毎の環境（流域の水質、流量）が異なることに起因して下水処理場毎に異なる渇水運転制御、非渇水運転制御を実行するようにすることもできる。
【発明の効果】
【００１０】
上記構成によれば、渇水時の水質向上に対応でき、さらに同一放流先河川で異種運転の下水処理場にも対応して、放流先河川の水質全体を良好に維持できる。
【発明を実施するための最良の形態】
【００１１】
〈本発明の概念説明〉
発明者らは、上述した従来の問題に対して、高度な放流先水質を要求される渇水時に対応するために、鋭意研究の結果、以下の知見を得た。
【００１２】
すなわち、上述した従来の晴天時モードおよび雨天時モードからなる通常時運転モードに加えて渇水時モードを設け、さらに渇水時に有用な下水処理場の運転制御として、擬似嫌気好気法と通常好気法との運転切替え、高ＨＲＴと低ＨＲＴ運転の切替え、高ＳＲＴと低ＳＲＴ運転の切替えること等によって、微生物量を増加させ、同様に汚濁物質をより低減させることで対応するようにしている。また、水質が悪化した場合、必要に応じて、凝集剤注入、オゾン注入、塩素注入、ＵＶ（紫外線）殺菌、およびこれらの方法の複数を組み合わせた方法においてそれらの供給量若しくは供給台数等を増加させることによって対応するようにしている。
【００１３】
ここで、ＨＲＴ（Hydraulic Retention Time）は、水理学的滞留時間を指すもので、流量を小さくしたり使用タンク量を増加したりしてＨＲＴを長くした高ＨＲＴ制御下では微生物がゆっくり増殖でき、ＣＯＤやＢＯＤ等の汚濁物質をより低減することが可能である。また、ＳＲＴ（Solid Retention Time）は、固形物滞留時間を指すもので、余剰汚泥引抜量を小さくすることにより微生物量が増加するので、同様に汚濁物質をより低減することが可能である。
【００１４】
図１に示すように、本発明では、降雨情報予測値１００を入力とし渇水モード３００と非渇水モード４００とを出力値とするモード選定部２００と、この渇水モード３００を入力とする渇水運転制御５００と、非渇水モード４００を入力とする非渇水運転制御６００とから構成されている。
【００１５】
この降雨情報予測値１００は、例えばレーダ雨量計若しくは地上雨量計等の雨量計測値を入力として予測した下水処理場降雨流入量予測値であったり、同値を入力として予測する降雨量予測値であったりする。また、モード選定部２００における渇水判定は、（１）式若しくは（２）式のように設定する。
〔数１〕
降雨量予測値の積算値＜２（ｍｍ）／１０（日）       →渇水判定  …（１）式
降雨流入量予測値の積算値＜１００（ｍ３）／１０（日）→渇水判定  …（２）式
渇水判定された場合には、渇水運転制御５００が選定され、この制御運転がなされる。これにより、渇水時に渇水運転制御５００が実行なされ、渇水時の水質が向上できる。
【００１６】
この渇水運転制御５００とは、下水処理場の高度処理運転、すなわち通常の運転より放流水質が向上するような運転に切替えることを言い、図２以下に具体的な実施形態を示す。
【００１７】
〈実施形態〉
図２は、本発明が適用される下水処理場の全体構成を示している。同図に示すように、この下水処理場１は、最初沈殿池３と、曝気槽５と、最終沈殿池７とを備えている。また、オゾン反応槽９と、塩素混和槽１１とを備えている。
【００１８】
最初沈殿池３は、ポンプ１３を介して導入された流入下水中から細かい砂や、汚泥等を沈殿させて取り除くもので、その処理水は、曝気槽５に供給される。
【００１９】
曝気槽５は、最初沈殿池３で沈殿物が除去された上澄水を導いて処理するもので、後段部底面には散気管１５が配置され、槽内の処理水をブロワ１７によって曝気する。なお、後述するように、曝気槽５の形態としては様々なのもが考えられる。本発明の実施形態では、入水側から出水側に向けて、嫌気槽、無酸素槽、好気槽を並べたもの（Ａ２Ｏ法）、嫌気槽と好気槽を並べたもの（ＡＯ法）、通常は一つの好気槽として使用するが、渇水時には、嫌気槽、好気槽として機能させるもの（擬似嫌気好気法）、後段の処理水をポンプ１９を介して前段に戻すものなどがある。また、後段部には、凝集剤タンク２１に貯留された凝集剤がポンプ２３を介して曝気槽５に注入され、処理水中の懸濁物質を凝集沈殿させるように構成されている。曝気槽５の処理水は最終沈殿池７に供給される。
【００２０】
最終沈殿槽７は曝気槽５の処理水を貯水して汚泥成分等を沈殿させる。沈殿された汚泥の一部はポンプ２５を介して曝気槽５入側に返送汚泥として戻される。また、余剰汚泥はポンプ２７によって抜き取られる。
【００２１】
オゾン反応槽９は、オゾン発生器２９から制御弁３１を介して供給されるオゾンを導入して最終沈殿池７の処理水をオゾン殺菌するものである。オゾンの量は、オゾン発生器２９の電圧を制御することによってオゾン発生量を制御する方法、オゾン発生器２９で発生したオゾンの流量を制御弁３１で制御する方法などがある。
【００２２】
塩素混和槽１１は、塩素タンク３３内に貯留された次亜塩素酸ナトリウム液の注入量を、ポンプ３５を弁開制御することによってコントロールして塩素混和槽１１内の処理水を消毒した後、河川等に放流する。
【００２３】
なお、下水を最初沈殿池３に流入させるポンプ１３の出口側には、雨水滞水池３７が制御弁３９を介して設けられており、下水流入量が多い大雨時などでは、最初沈殿池３に流入させる下水の一部を雨水滞水池３７側に分流させて貯水しておき、下水流入量が正常量に戻ったときに貯水させた雨水をポンプ４１を介して最初沈殿池３に供給する。なお、ポンプ１３の入口側に設けられたポンプ４３は、大雨時に直接、流入下水を河川等に放流させるものである。
【００２４】
《第１の実施形態》
図３は、渇水運転制御５００として擬似嫌気好気運転制御５１０、非渇水運転制御６００として通常好気運転制御６１０とした第１の実施形態を示している。
【００２５】
ここで、擬似嫌気好気運転制御５１０とは、下水処理場の曝気槽内の前段への曝気量を制御弁操作等により低減させて擬似嫌気としたリン除去運転を言う。すなわちこの曝気量の低減操作を言う。さらに、返送量を増大することにより擬似Ａ２Ｏ法となり窒素除去運転も可能である。一方、通常好気運転制御とは、擬似嫌気としない通常の全面曝気運転である。
【００２６】
すなわち、図４に示すように、通常の晴天時等では、曝気槽５は散気管４５によって全体が曝気され、好気槽として運転されている。渇水時には、３つの制御弁４７Ａ，４７Ｂ，４７Ｃの内、前段に位置する制御弁４７Ａが弁閉制御され。これによって、曝気槽５の前段部の曝気は低減、または停止され、擬似的に嫌気槽として運転される。これにより、槽内のリン成分が効果的に除去される。
【００２７】
この処理では、渇水時の窒素やリンの水質向上に寄与できる、という効果を奏する。
【００２８】
また、擬似嫌気好気運転制御５１０に類似する渇水運転制御としては、Ａ２Ｏ法（嫌気無酸素好気法）がある。図５に示すように、Ａ２Ｏ法による渇水運転制御では、曝気槽５を嫌気槽５Ａと、無酸素槽５Ｂと、好気槽５Ｃの３つに分けて運転するもので、このように構成することによっても渇水時の窒素やリンの水質向上に寄与できる。
【００２９】
さらに、擬似嫌気好気運転制御５１０に類似する渇水運転制御としては、ＡＯ法（嫌気好気法）がある。図６に示すように、ＡＯ法による渇水運転制御では、曝気槽５を嫌気槽５Ａと好気槽５Ｃの２つに分けて運転するもので、このように構成することによっても渇水時の窒素やリンの水質向上に寄与できる。
【００３０】
《第２の実施形態》
図７は、渇水運転制御５００として高ＨＲＴ運転制御５２０、非渇水運転制御６００として低ＨＲＴ運転制御としたものである。
【００３１】
ここで高ＨＲＴ運転制御とは、前述した通り、流量を低減したり使用タンク容量を増大したりしてＨＲＴを長くし、曝気槽内の微生物を活性化させてより汚濁物質、特にＣＯＤやＢＯＤ等を低減させる運転である。低ＨＲＴ運転制御はその逆の運転である。
【００３２】
すなわち、図８に示すように、ポンプ１３を制御することにより、あるいは、制御弁３９を開いて雨水滞水池３７側に分流させることにより最初沈殿池３に流入させる下水の量を低減させ、これによって曝気槽５における滞留時間を長くさせることができる。
【００３３】
また、通常の下水処理場では、最初沈殿池、処理槽（曝気槽）、および最終沈殿池からなる処理系統が複数存在しており、その中で例えば１系統は大雨時等の予備として通常時は運転停止状態となっている。図９に示す例では、３つの最初沈殿池３-1，３-2，３-3、曝気槽５-1，５-2，５-3、最終沈殿池７-1，７-2，７-3により３系統を構成しているが、通常（晴天時等）では、初沈殿池３-3、曝気槽５-3、最終沈殿池７-3は運転を停止しているものとする。渇水時運転制御では、制御弁４９-3を開制御して、初沈殿池３-3側にも下水を分流されることにより、結果的に滞留時間を長くさせることができるというものである。
【００３４】
これらの処理では、渇水時のＣＯＤやＢＯＤの水質向上に寄与できるという効果を奏する。
【００３５】
《第３の実施形態》
図１０は、渇水運転制御５００として高ＳＲＴ運転制御５３０、非渇水運転制御６００として低ＳＲＴ運転制御としたものである。
【００３６】
ここでＳＲＴ運転制御とは、前述した通り、余剰汚泥流量を低減させてＳＲＴを長くし、曝気槽内の微生物を活性化させてより汚濁物質、特にアンモニア性窒素を低減させる運転である。低ＳＲＴ運転制御はその逆の運転である。
【００３７】
すなわち、図１１に示すように、ポンプ２７を制御して最終沈殿池７の余剰汚泥を抜き取り低減させることによりＳＲＴを長くできる。
【００３８】
この処理では、渇水時のアンモニア性窒素の他、ＣＯＤやＢＯＤの水質向上に寄与できる、という効果を奏する。
【００３９】
《第４の実施形態・・・その他の渇水時運転制御の例》
〔循環式硝化脱窒法による渇水時運転制御〕
図１２に示すように、曝気槽５の後段の処理水をポンプ１９により前段に戻すことにより、硝化脱窒を図るものである。
【００４０】
〔凝集剤注入法〕
図１３に示すように、凝集剤タンク２１内に貯留されたポリ塩化アルミニウム等の凝集剤をポンプ２３を介して曝気槽５内に注入し、懸濁物質を沈殿させることにより水質を向上されることができる。
【００４１】
〔オゾン注入制御法〕
図１４に示すように、オゾン発生器２９の発生オゾン量またはオゾン反応槽９に注入されるオゾン量を制御することにより、オゾン反応槽９内でオゾン処理を実行し、ＣＯＤやＢＯＤを制御することができる。
【００４２】
〔塩素注入法〕
同様に、図１４に示すように、塩素タンク３３内に貯留された次亜塩素酸ナトリウム液をポンプ３５を制御することで塩素混和槽１１内に注入し、これによって大腸菌等の殺菌が可能となる。
【００４３】
〔ＵＶ殺菌法〕
曝気槽５内にＵＶランプ等を配設しておき、その紫外線によって大腸菌等の殺菌が可能となる。
【００４４】
〔その他の方法〕
上述した方法を複数組み合わせることにより、渇水状態、水質状態に応じた最適な渇水時運転制御が可能となる。
【００４５】
《第５の実施形態・・・制御システム》
１本の河川には複数の下水処理場からの排水が流されることが多い。この場合、一つの下水処理場のみを渇水モードで制御しても河川全体としての水質の維持ができないこともある。このような場合には、複数の下水処理場の制御装置を統括して制御する制御システムを構築する必要がある。
【００４６】
図１５は下水処理場の制御システム５１の全体構成を概略的に示したもので、河川５３には、複数の下水処理場５５Ａ，５５Ｂ，５５Ｃが配置されている。河川５３の水源５７、例えば、ダムを水源として下流に向かう適宜位置には、水質計が設けられている。また、流域の雨量を測定するためのレーダ雨量計６１や地上雨量計６３が適宜箇所に設けられている。各下水処理場５５Ａ，５５Ｂ，５５Ｃの制御装置、水質計５９、レーダ雨量計６１および地上雨量計６３は流域管理装置（中央監視・制御装置に相当）６７にネットワークを介して接続されている。ネットワークは、公衆回線、専用回線、無線回線、インターネット等、その種類は問わない。
【００４７】
流域管理装置６７は、通信部６９と、制御部７１とを備え、通信部６９を介して各下水処理場５５Ａ，５５Ｂ，５５Ｃの制御装置、水質計５９、レーダ雨量計６１および地上雨量計６３からの各計測データを入力するとともに、各下水処理場５５Ａ，５５Ｂ，５５Ｃの制御装置に対する制御指令を生成して出力する。
【００４８】
＜動作＞
各下水処理場５５Ａ，５５Ｂ，５５Ｃの制御装置は個別に制御を実行するが、流域管理装置６７側では、河川５３の流域全体の雨量および水質を監視しており、雨量計６１，６３による雨量実績値または雨量予測値により、現在、渇水状態か否かを判定する。渇水状態であれば、渇水モードに移行して渇水運転制御を実行する。
【００４９】
図１６は、複数処理場が存在する場合、Ａ処理場５５ＡとＢ処理場５５Ｂで各々渇水運転制御５４０，５５０と非渇水運転制御６４０，６５０とを具備している場合の制御を示している。この制御は同一の場合もあるし、非同一の場合もある。同一の場合でも、その制御管理値が異なる場合もあり得る。例えば同一の場合として前記擬似嫌気好気運転をしていても、擬似嫌気の容積が異なっていたり、擬似嫌気の系列が多かったり等がある。
【００５０】
この処理では、複数下水処理場であっても総合的に水質向上が達成できるという効果を奏する。
【００５１】
図１７は、複数処理場が異種の制御を有している場合である。
【００５２】
Ａ処理場５５Ａでは擬似嫌気好気運転制御５６０と通常好気運転制御６６０の組合せを、Ｂ処理場５５Ｂでは高ＨＲＴ運転制御５７０と低ＨＲＴ運転制御６７０の組合せを利用している。渇水時には、Ａ処理場５５Ａは擬似嫌気好気運転制御５６０、Ｂ処理場５５Ｂは高ＨＲＴ運転制御５７０が選択され、非渇水時には他方の制御が選択されて、Ａ処理場５５Ａは通常好気運転制御５７０、Ｂ処理場５５Ｂは低ＨＲＴ運転制御６７０が実行される。
【００５３】
この処理では、異種の制御を採用している複数処理場であっても、総合的に水質向上が達成できるという効果を奏する。
【００５４】
《他の実施形態》
図１８に示す例は、モード選定部２００の入力値として、降雨情報予測値１００の他に、水位、流量、水質の河川情報１１０を入力値としている。
【００５５】
河川情報１１０は放流先水質の要求度に関連しており、例えば水位が高い、若しくは流量が大きい、若しくは水質が低いと、要求水質が小さくなる。すなわち、下水処理場の放流水を向上させる必要がなくなる。
【００５６】
この処理では、モード選定部２００の選定精度が高くなり、水質向上が達成できるという効果を奏する。  
図１９に示す例は、河川水質計測値１１１として、例えばＵＶ値（紫外線吸光度計値）、ＣＯＤ（化学的酸素要求量）、ＢＯＤ（生物化学的酸素要求量）、ＳＳ（浮遊物質）、ｐＨ等を入力して、渇水運転制御５００及び非渇水運転制御６００の補正演算をする渇水運転制御補正部１２０および非渇水運転補正部１３０を設けたものである。補正方法としては、ＵＶ値の大小によって、渇水運転制御５００の制御目標値を変更する。例えば、ＵＶ値が小さければ（河川の水質が良ければという意味である）、水質をそれ程良くする必要がないので、擬似嫌気好気法の擬似嫌気部分の容量を小さくするように目標値を変更するようなパターンがある。高ＨＲＴ運転制御５２０の場合では、流量を少し大きくすることで対応する。高ＳＲＴ運転制御５３０の場合には、余剰汚泥引抜流量を小さくすることで対応する。
【００５７】
この処理では、水質計測値を制御の補正に利用することで、各制御運転を最適化でき、水質向上のみならず下水処理場の運転管理コストが低減できるという効果を奏する。
【００５８】
図２０に示す例は、河川水質計測値を入力値としてモード補正部１４０によりモード選定部２００の補正演算を実行する。例えば、ＵＶ値の大小によって、渇水モード３００と非渇水モード４００の切替え選択を補正する。補正方法としては、同様にＵＶ値が小さければ、水質をそれ程良くする必要はないので、渇水モード３００と選定されていても非渇水モード４００に変更処理するようなパターンである。これはＵＶ値等の水質計測値の閾値でＯＮ−ＯＦＦしたり、水質計測値で比例演算したり等の方法を利用できる。
【００５９】
この処理では、水質計測値をモード選定の補正に利用することで、モード選定を最適化でき、水質向上のみならず下水処理場の運転管理コストが低減できるという効果を奏する。
【００６０】
図２１に示す例は、モード選定部２００の出力値の非渇水モード４００として、晴天モード４１０、合流改善モード（小雨モード）４２１、大雨モード４２２を選定して、それぞれ晴天運転制御６８０、合流運転制御６９１、大雨運転制御６９２を実施している。非渇水モード４００としてこれらのものを使用したことにより、晴天、小雨、大雨と天候の状況による細かい制御運転が可能となる。
【図面の簡単な説明】
【００６１】
【図１】本発明の構成を示す説明図。
【図２】本発明が適用される下水処理場の全体構成を示す説明図。
【図３】本発明の第１の実施形態における一構成例を示す説明図。
【図４】本発明の第１の実施形態が適用される下水処理場の一例を示す説明図。
【図５】本発明の第１の実施形態が適用される下水処理場の他の例を示す説明図。
【図６】本発明の第１の実施形態が適用される下水処理場の更に他の例を示す説明図。
【図７】本発明の第２の実施形態における一構成例を示す説明図。
【図８】本発明の第２の実施形態が適用される下水処理場の一例を示す説明図。
【図９】本発明の第２の実施形態が適用される下水処理場の他の例を示す説明図。
【図１０】本発明の第３の実施形態における一構成例を示す説明図。
【図１１】本発明の第３の実施形態が適用される下水処理場の一例を示す説明図。
【図１２】本発明の第４の実施形態が適用される下水処理場の一例を示す説明図。
【図１３】本発明の第４の実施形態が適用される下水処理場の他の例を示す説明図。
【図１４】本発明の第４の実施形態が適用される下水処理場の他の例を示す説明図。
【図１５】本発明の第５の実施形態における全体構成を示す説明図。
【図１６】本発明の第５の実施形態における一構成例を示す説明図。
【図１７】本発明の第５の実施形態における他の構成例を示す説明図。
【図１８】本発明の他の実施形態における一構成例を示す説明図。
【図１９】本発明の他の実施形態における他の構成例を示す説明図。
【図２０】本発明の他の実施形態における更に他の構成例を示す説明図。
【図２１】本発明の他の実施形態における更に他の構成例を示す説明図。
【図２２】従来の構成例を示す説明図。
【符号の説明】
【００６２】
１，５５Ａ，５５Ｂ，５５Ｃ  下水処理場
３  最初沈殿池
５  曝気槽
５Ａ  嫌気槽
５Ｂ  無酸素槽
５Ｃ  好気槽
７  最終沈殿池
９  オゾン反応槽
１１  塩素混和槽
１３，１９，２３，２５，２７，３５，４１，４３  ポンプ
１５、４５  散気管  
１７  ブロワ
３１，３９，４７Ａ，４７Ｂ，４７Ｃ，４９  制御弁  
５１  下水処理場の制御システム
５３  河川
５７  水源
５９  水質計
６１  レーダ雨量計
６３  地上雨量計
６７  流域管理装置
６９  通信部
７１  制御部
１００  降雨情報予測値
２００  モード選定部
３００  渇水モード
４００  非渇水モード
５００  渇水運転制御
６００  非渇水運転制御
【図１】
2006136866.tif 000003
【図２】
2006136866.tif 000004
【図３】
2006136866.tif 000005
【図４】
2006136866.tif 000006
【図５】
2006136866.tif 000007
【図６】
2006136866.tif 000008
【図７】
2006136866.tif 000009
【図８】
2006136866.tif 000010
【図９】
2006136866.tif 000011
【図１０】
2006136866.tif 000012
【図１１】
2006136866.tif 000013
【図１２】
2006136866.tif 000014
【図１３】
2006136866.tif 000015
【図１４】
2006136866.tif 000016
【図１５】
2006136866.tif 000017
【図１６】
2006136866.tif 000018
【図１７】
2006136866.tif 000019
【図１８】
2006136866.tif 000020
【図１９】
2006136866.tif 000021
【図２０】
2006136866.tif 000022
【図２１】
2006136866.tif 000023
【図２２】
2006136866.tif 000024